(57)【要約】【課題】直管形蛍光灯を用いた照明器具において、寸法誤差があっても透光カバーを器具本体に取付けでき、汎用的な器具本体にも透光カバーを取付けできる。【解決手段】照明器具１は、直管形蛍光灯４を接続保持する蛍光灯ソケット２２を両端部に突出して設けた器具本体２と、直管形蛍光灯４を覆う透光カバー５とを備える。透光カバー５は、両端部に、透光カバー５を器具本体２へ取付けるためのエンドキャップ４２を有する。エンドキャップ４２は、器具本体２の端面２ａ及び蛍光灯ソケット２２の背面２２ａを略沿って覆う構成になっている。これにより、エンドキャップ４２は、エンドキャップ４２間に寸法誤差があっても器具本体２に取付けることが可能であり、また、外形が略同じである他の様々な型式の器具本体にも取付けることが可能である。【選択図】図２
2005183233.tif 000002
【特許請求の範囲】
【請求項１】
直管形蛍光灯を接続保持する蛍光灯ソケットを両端部に突出して設けた器具本体と、前記直管形蛍光灯を覆う透光カバーとを備えた照明器具において、
前記透光カバーの両端部に、前記器具本体の端面及び蛍光灯ソケットの背面を略沿って覆い、かつ器具本体に取付けられる略柱状の取付部を夫々設けたことを特徴とする照明器具。
【請求項２】
前記器具本体は、略四角柱状であり、その側面に溝部を有し、
前記取付部は、前記器具本体の溝部に弾性係止されることを特徴とする請求項１に記載の照明器具。
【請求項３】
前記取付部は、変形可能なスペーサを介して前記透光カバーに設けられていることを特徴とする請求項１に記載の照明器具。
【発明の詳細な説明】
【技術分野】
【０００１】
本発明は、照明器具に関するものである。
【背景技術】
【０００２】
従来から、居室内の壁面等に取付けて使用される直管形蛍光灯を用いた照明器具がある。この種の照明器具は、図７、図８（ａ）（ｂ）（ｃ）、図９に示す構成のものが知られている。照明器具７０は、器具本体７１が壁面等の器具取付面に固定され、本体カバー７２が器具本体７１に固定され、直管形蛍光灯７３が器具本体７１の蛍光灯ソケット７４に装着された後に、透光カバー７５が直管形蛍光灯７３を覆うように本体カバー７２に固定される構成になっている。
【０００３】
器具本体７１は、平面視が略長方形であり、両端部に蛍光灯ソケット７４が突出して設けられていると共に、所定の箇所に給電部品７６ａ，７６ｂが配置されている。また、器具本体７１は、本体カバー固定用のネジ孔７７が設けられている。器具本体７１は、器具本体固定用の木ネジ（図示省略）の貫通孔７８が設けられており、木ネジを貫通孔７８を通して壁面等に締結することにより、壁面等に取付けられて固定される。
【０００４】
本体カバー７２は、両端部にエンドキャップ７９が設けられており、その内側に器具本体７１の蛍光灯ソケット７４が貫通する開口８０が設けられている。エンドキャップ７９の先端付近には、透光カバー固定用の取付ネジ８１の貫通孔８２が設けられている。本体カバー７２は、本体カバー固定用の取付ネジ８３の貫通孔８４が設けられており、取付ネジ８３を貫通孔８４を通して器具本体７１のネジ孔７７に締め込むことにより、器具本体７１を覆うようにして、器具本体７１に固定される。
【０００５】
本体カバー７２が器具本体７１に固定された状態では、器具本体７１の蛍光灯ソケット７４は、本体カバー７２の開口８０を貫通し、エンドキャップ７９の内側に位置する。直管形蛍光灯７３は、このように本体カバー７２が器具本体７１に固定された状態で、蛍光灯ソケット７４に装着される。
【０００６】
透光カバー７５は、両端部の外面に装飾部品８５が設けられ、両端部の内面に本体カバー７２への取付部である取付金具８６が設けられている。装飾部品８５及び取付金具８６は、透光カバー７５に一体に固定されている。取付金具８６は、透光カバー固定用のネジ孔８７が設けられている。透光カバー７５は、取付金具８６がエンドキャップ７９の先端部内面に略沿うように挿入され、取付ネジ８１をエンドキャップ７９の外側面から貫通孔８２を通してネジ孔８７に締め込むことにより、本体カバー７２に（すなわち本体カバー７２を介して器具本体７１に）取付けられて一体固定される。
【０００７】
また、同種の照明器具として、図１０、図１１（ａ）（ｂ）（ｃ）に示す構成のものも知られている。図１０、図１１（ａ）（ｂ）（ｃ）に示す照明器具９０は、器具本体９１が壁面等の器具取付面に固定され、直管形蛍光灯９２が器具本体９１の蛍光灯ソケット９３に装着された後に、透光カバー９４が直管形蛍光灯９２を覆うと共に器具本体９１の前面及び側面を覆うように器具本体９１に取付けられて固定される構成になっている。
【０００８】
器具本体９１は、平面視が略長方形であり、両端部に蛍光灯ソケット９３が突出して設けられていると共に、所定の箇所に給電部品９５ａ，９５ｂが配置されている。蛍光灯ソケット９３の外側には、透光カバー９４を係止する取付バネ９６が固定されている。器具本体９１は、木ネジ（図示省略）の貫通孔９７が設けられており、木ネジを貫通孔９７を通して壁面等に締結することにより、壁面等に取付けられて固定される。
【０００９】
透光カバー９４は、両端部に器具本体９１への取付部であるエンドキャップ９８が固定されている。エンドキャップ９８の内面には、爪９９が設けられており、爪９９は、透光カバー９４の両端部の開口を貫通して内側に突出している。透光カバー９４は、器具本体９１が収められるように器具本体９１に押し付けられ、エンドキャップ９８の爪９９が器具本体９１の取付バネ９６に係止されることにより、器具本体９１に取付けられて固定される。
【００１０】
また、透光カバーの両端に設けられたアームを器具本体のエンドカバー前面のスロット内に挿入し、アーム先端のかぎ部をエンドカバー内のピンに係止することにより、透光カバーを器具本体に支持するようにした照明器具が知られている（例えば、特許文献１参照）。
【特許文献１】特開２００１−２５８７７３号公報（図５）
【発明の開示】
【発明が解決しようとする課題】
【００１１】
ところで、上述した従来の図７、図８（ａ）（ｂ）（ｃ）、図９に示す照明器具７０においては、透光カバー７５の両端の取付金具８６間や本体カバー７２の両端のエンドキャップ７９間に寸法誤差があると、取付金具８６をエンドキャップ７９に挿入できず、透光カバー７５を器具本体７１に取付けることができない。また、図１０、図１１（ａ）（ｂ）（ｃ）に示す照明器具においては、透光カバー９４の両端の爪９９間や器具本体９１の両端の取付ばね９６間に寸法誤差があると、爪９９を取付バネ９６に係止できず、透光カバー９４を器具本体９１に取付けることができない。また、特許文献１に記載の照明器具においては、透光カバーの両端のアーム間やエンドカバー内のピンの位置に寸法誤差があると、アーム先端のかぎ部をピンに係止できず、透光カバーを器具本体に取付けることができない。
【００１２】
すなわち、これらの照明器具においては、透光カバーを器具本体へ取付けるための構造に高い寸法精度が要求される。特に、透光カバーを樹脂製とする構成では、比較的寸法精度の高い射出成形等の成形方法によって透光カバーを作製する必要があり、コスト高となる。また、寸法精度を満たす必要上、透光カバーのデザインが制約されてしまう。
【００１３】
また、これらの照明器具の透光カバーは、その透光カバーを取付けるための構造を有さない型式の器具本体や汎用的な器具本体に取付けることができない。このため、透光カバー付きの照明器具を得るには、透光カバーと器具本体のそれぞれを設計して製造しなければならず、コスト高となる。また、既設の汎用的な照明器具に、透光カバーの後付けによるデザイン及び光学的な価値を付加することができない。
【００１４】
本発明は、上記課題を解決するためになされたものであり、ある程度の寸法誤差があっても透光カバーを器具本体に取付け可能にすることにより、透光カバーの設計及び製造が容易になり低コスト化できると共に、汎用的な器具本体にも透光カバーを取付け可能にすることにより、デザイン及び光学的な価値を付加することができる照明器具を提供することを目的とする。
【課題を解決するための手段】
【００１５】
上記目的を達成するために請求項１の発明は、直管形蛍光灯を接続保持する蛍光灯ソケットを両端部に突出して設けた器具本体と、直管形蛍光灯を覆う透光カバーとを備えた照明器具において、透光カバーの両端部に、器具本体の端面及び蛍光灯ソケットの背面を略沿って覆い、かつ器具本体に取付けられる略柱状の取付部を夫々設けたものである。
【００１６】
請求項２の発明は、請求項１に記載の照明器具において、器具本体は、略四角柱状であり、その側面に溝部を有し、取付部は、器具本体の溝部に弾性係止されるものである。
【００１７】
請求項３の発明は、請求項１に記載の照明器具において、取付部は、変形可能なスペーサを介して透光カバーに設けられているものである。
【発明の効果】
【００１８】
請求項１の発明によれば、透光カバーの両端の取付部は、器具本体の端面及び蛍光灯ソケットの背面を略沿って覆うように器具本体に取付けられる構成であるため、透光カバーの両端の取付部間に多少の寸法誤差があっても、取付部を器具本体に取付けることが可能となる。これにより、透光カバーの両端の取付部間に多少の寸法誤差があっても、透光カバーを器具本体に装着することができる。従って、透光カバーの寸法にある程度の自由度を持たせることができ、これにより、透光カバーの設計及び製造が容易となり、低コストで透光カバー付きの照明器具を得ることができる。また、透光カバーは、取付部を器具本体の端面及び蛍光灯ソケットの背面を略沿って覆うように器具本体に取付けることにより器具本体に装着されるため、器具本体側は、従来のような透光カバーを装着するための専用の構造を必要としない。従って、透光カバーは、外形が略同じである様々な型式の器具本体に装着することができる。これにより、従来のような透光カバー装着専用の器具本体を新規に作製することなく既設のホルダー型照明器具に透光カバーを後付けオプションとして追加することができ、汎用的な直付け照明器具にデザイン及び光学的な価値を付加することが可能となる。
【００１９】
請求項２の発明によれば、透光カバーは、取付部が器具本体の溝部に弾性係止されることにより、器具本体からの抜けが防止される。従って、透光カバーは、取付部を器具本体の端面及び蛍光灯ソケットの背面に略沿って器具本体に嵌め込むだけで、器具本体に装着されると共に器具本体からの抜けが防止される状態になり、装着作業を容易に行える。
【００２０】
請求項３の発明によれば、スペーサが変形可能であることにより、取付部間の寸法の矯正が可能となり、取付部間の寸法のバラツキを吸収できる。従って、取付部間の寸法にある程度の自由度を持たせることができ、透光カバーの設計及び製造が容易となり、低コストで透光カバーを作製することができる。
【発明を実施するための最良の形態】
【００２１】
以下、本発明を具体化した実施形態について図面を参照して説明する。図１乃至図５において、照明器具１は、住宅等の居室内を照明する器具であり、壁面等の器具取付面に取付けて使用されるものである。照明器具１は、器具本体２と、反射板３と、直管形蛍光灯４と、透光カバー５とを備えており、器具本体２が壁面等の器具取付面に取付けられ、反射板３、直管形蛍光灯４、及び透光カバー５が器具本体２に取付けられる構成になっている。
【００２２】
器具本体２は、略四角柱状であり、貫通孔２１と、蛍光灯ソケット２２と、給電部品２３ａ，２３ｂと、溝部２４と、ネジ孔２５とを有している。貫通孔２１は、器具本体２を壁面等に取付けるために木ネジ（図示省略）が挿通される孔であり、器具本体２の両端付近に設けられている。器具本体２は、木ネジを貫通孔２１に挿通して壁面等に締結することにより、壁面等に取付けられて固定される。
【００２３】
蛍光灯ソケット２２は、直管形蛍光灯４を接続保持するものであり、器具本体２の両端部に突出して設けられている。給電部品２３ａ，２３ｂは、蛍光灯ソケット２２に接続保持される直管形蛍光灯４に電力を供給するものであり、器具本体２の所定の箇所に配置されている。溝部２４は、反射板３及び透光カバー５を係止するものであり、器具本体２の両側面（上面及び下面）に、器具本体２の長手方向に全長に亘って設けられている。ネジ孔２５は、透光カバー５の取付けを強固にするために取付ネジ６１が締め込まれる孔であり、器具本体２の両端面に設けられている。
【００２４】
反射板３は、直管形蛍光灯４から放射された光を反射するものであり、器具本体２の前面に取付けられる。反射板３は、平面視が略長方形であり、長手方向に沿って両端（上端及び下端）が折り曲げられ、断面形状が略コ字状になっており、長手方向に沿って折り曲げられた両端にカーリング部３１を有している。カーリング部３１は、反射板３を器具本体２に係止するものであり、反射板３の長手方向の全長に亘って設けられている。反射板３の器具本体２への取付けは、反射板３を器具本体２の正面から押し込むことにより行われ（図３（ａ）参照）、反射板３は、カーリング部３１が器具本体２の溝部２４と係合することにより、器具本体２に弾性係止される（図３（ｂ）参照）。
【００２５】
直管形蛍光灯４は、照明するための光を放射するものであり、器具本体２の蛍光灯ソケット２２に接続保持されることにより、器具本体２に取付けられる。直管形蛍光灯４の器具本体２への取付けは、反射板３を器具本体２へ取付けた後に行われ、直管形蛍光灯４は、反射板３の前方に配置される。
【００２６】
透光カバー５は、直管形蛍光灯４からの放射光及び反射板３からの反射光を透過させるものであり、直管形蛍光灯４の保護、照明光の方向や波長の制御、及び装飾のために設けられるものである。透光カバー５は、カバー本体４１と、エンドキャップ４２と、装飾部品４３と、スペーサ４４とを有しており、直管形蛍光灯４を覆うように器具本体２に取付けられる。カバー本体４１は、透光性を有する樹脂により形成されている。
【００２７】
エンドキャップ４２は、透光カバー５を器具本体２に取付けるための取付部であり、樹脂により形成されており、カバー本体４１の両端部（従って透光カバー５の両端部）の内面側に夫々設けられている。
【００２８】
エンドキャップ４２は、装飾部品４３及びスペーサ４４と共にカバー本体４１に一体固定されている（図４（ａ）、図５参照）。装飾部品４３は、カバー本体４１の両端部の外面側に夫々設けられており、ネジ固定用のボス４３ａがカバー本体４１の孔を通してカバー本体４１の内面側に突出されている。スペーサ４４は、ゴム製であり、カバー本体４１の内面側にて装飾部品４３のボス４３ａに嵌められている。エンドキャップ４２は、カバー本体４１との間にスペーサ４４を挟み込んでおり、ネジ６２がエンドキャップ４２の孔を通して装飾部品４３のボス４３ａに締結されていることにより、上述のように装飾部品４３及びスペーサ４４と共にカバー本体４１に一体固定されている。
【００２９】
エンドキャップ４２は、略柱状をしており、器具本体２の端面２ａと側面端部２ｂ，２ｃ（上面端部２ｂ及び下面端部２ｃ）及び蛍光灯ソケット２２の背面２２ａと側面２２ｂを略沿って覆うように構成されている（図２参照）。また、エンドキャップ４２は、リブ４５，４６（図５参照）と、貫通孔４７（図２参照）とを有している。
【００３０】
リブ４５，４６は、透光カバー５を器具本体２に係止するものであり、エンドキャップ４２の内面の上下の対向する箇所に設けられている。上下のリブ４５の間隔は、上記反射板３の幅（上下方向の幅）よりも小さく寸法設定されており、上下のリブ４６の間隔は、上記器具本体２の幅（上下方向の幅）よりも小さく寸法設定されている。貫通孔４７は、透光カバー５の器具本体２への取付けを強固とするために取付ネジ６１が挿通される孔であり、エンドキャップ４２の側面に設けられている。
【００３１】
透光カバー５の器具本体２への取付けは、直管形蛍光灯４を器具本体２へ取付けた後に行われ、透光カバー５を器具本体２の正面から押し込むことにより行われる。透光カバー５を押し込むことにより、透光カバー５の両端のエンドキャップ４２が器具本体２の端面２ａと側面端部２ｂ，２ｃ及び蛍光灯ソケット２２の背面２２ａと側面２２ｂを略沿って覆うように器具本体２に嵌め込まれ、これにより、透光カバー５が器具本体２に取付けられる。エンドキャップ４２は、器具本体２に嵌め込まれる際に弾性変形し、リブ４６が反射板３を通過して器具本体２を上下から挟み込むと共に、リブ４５が反射板３を通過して器具本体２の溝部２４に係合する（図５参照）。これにより、エンドキャップ４２は、器具本体２の上下面を挟み込んで弾性保持されると共に溝部２４に弾性係止される。透光カバー５は、エンドキャップ４２が器具本体２の溝部２４に弾性係止されることにより、器具本体２からの抜けが防止される。
【００３２】
なお、溝部２４へのエンドキャップ４２の弾性係止構造は、透光カバー５の抜けを防止するための構造であり、必ずしも必要ではない。透光カバー５は、エンドキャップ４２を溝部２４へ弾性係止させなくても、エンドキャップ４２が器具本体２の端面２ａと側面端部２ｂ，２ｃ及び蛍光灯ソケット２２の背面２２ａと側面２２ｂを略沿って覆うように器具本体２に嵌め込まれることにより、器具本体２に取付けられる。
【００３３】
また、透光カバー５の器具本体２への取付けを強固にするために、透光カバー５の取付後に、取付ネジ６１がエンドキャップ４２の側面の貫通孔４７を通して器具本体２のネジ孔２５に締結される（図１、図２、図４（ａ）（ｂ）参照）。取付ネジ６１が締結されることによって、透光カバー５のエンドキャップ４２が器具本体２の長手方向へ開くことも防止される。なお、取付ネジ６１の締結は、透光カバー５の取付けを強固にするためであり、必ずしも必要ではない。透光カバー５は、取付ネジ６１の締結を行わなくても、上述のようにエンドキャップ４２が器具本体２に嵌め込まれることにより器具本体２に取付けられる。
【００３４】
このような構成の照明器具１によれば、透光カバー５の両端のエンドキャップ４２が器具本体２の端面２ａ及び蛍光灯ソケット２２の背面２２ａを略沿って覆うように構成されているため、透光カバー５の両端のエンドキャップ４２間に多少の寸法誤差があっても、エンドキャップ４２を器具本体２に取付けることが可能となり、透光カバー５を器具本体２に取付けることができる。
【００３５】
また、カバー本体４１とエンドキャップ４２との間にゴム製のスペーサ４４が挟み込まれているため、エンドキャップ４２間の寸法に誤差がある場合には、透光カバー５を器具本体２へ取付ける際にスペーサ４４が弾性変形し、エンドキャップ４２間の寸法が矯正される。従って、エンドキャップ４２間の寸法のバラツキを吸収でき、エンドキャップ４２間の寸法にある程度の自由度を持たせることができる。
【００３６】
また、透光カバー５は、エンドキャップ４２を器具本体２の端面２ａ及び蛍光灯ソケット２２の背面２２ａを略沿って覆うように嵌め込むことにより器具本体２に取付けられるため、透光カバー５を器具本体２に取付けるための構造を器具本体２に必要としない。従って、透光カバー５は、汎用の器具本体を含む外形が略同じである他の様々な型式の器具本体に取付けることが可能である。なお、透光カバー５を他の型式の器具本体に取付ける場合、透光カバー５の抜け止めや器具本体への取付けを強固にするには、透光カバー５のエンドキャップ４２の貫通孔４７に対応して、器具本体にネジ孔を設ける等の若干の加工を施して、ネジ止めすればよい。
【００３７】
次に、別の実施形態について図６を参照して説明する。本実施形態の照明器具１では、上記の実施形態における取付ネジ６１がエンドキャップ４２の貫通孔４７を通して器具本体２のネジ孔２５に締結される構成に代えて、エンドキャップ４２の内側面に爪４８を設けると共に、器具本体２の端面に爪４８を引っ掛ける孔４９を設けた構成になっている。本実施形態における他の構成については、上記の実施形態と同様である。
【００３８】
エンドキャップ４２の内側面に設けられた爪４８は、透光カバー５の取付けのために透光カバー５を器具本体２の正面から押し込んだ際に、エンドキャップ４２が弾性変形することにより、器具本体２の端面を通過して器具本体２の端面の孔４９に引っ掛かる。爪４８が孔４９に引っ掛かることにより、透光カバー５の器具本体２への取付けが強固にされると共に、エンドキャップ４２の器具本体２の長手方向への開きが防止される。
【００３９】
このような構成によっても、上記の実施形態と同様の作用、効果が得られる。また、このような構成によれば、透光カバー５の取付けと同時に、しかも、ネジを用いることなく、透光カバー５の取付け強化及びエンドキャップ４２の開き防止をでき、透光カバー５の取付け作業が容易なものとなる。
【００４０】
なお、本発明は、上記各実施形態の構成に限られず、種々の変形が可能である。例えば、上記各実施形態において、透光カバー５のカバー本体４１は、樹脂に限られず、透光性を有するガラスにより形成されたものであってもよい。スペーサ４４は、ゴム製に限られず、弾性を有するものであれば、どのような材質のものであってもよい。照明器具１は、壁面に限られず、天井面に取付けて使用されるものであってもよい。
【図面の簡単な説明】
【００４１】
【図１】本発明の一実施形態に係る照明器具の構成を示す斜視図。
【図２】同照明器具の構成を示す分解斜視図。
【図３】同照明器具の反射板の器具本体への取付構造を示す側面図。
【図４】（ａ）は同照明器具の透光カバーの器具本体への取付構造を示す一部破断した平面図、（ｂ）は同一部破断した正面図。
【図５】同透光カバーの器具本体への取付構造を示す一部破断した側面図。
【図６】本発明の別の実施形態に係る照明器具の透光カバーの器具本体への取付構造を示す一部破断した平面図。
【図７】従来の照明器具の構成を示す分解斜視図。
【図８】（ａ）は同照明器具の透光カバーの器具本体への取付構造を示す一部破断した平面図、（ｂ）は同正面図、（ｃ）は同側面図。
【図９】同取付部の構成を示す分解斜視図。
【図１０】別の従来の照明器具の構成を示す分解斜視図。
【図１１】（ａ）は同照明器具の透光カバーの器具本体への取付構造を示す一部破断した平面図、（ｂ）は同一部破断した正面図、（ｃ）は同側面図。
【符号の説明】
【００４２】
１    照明器具
２    器具本体
２ａ    器具本体の端面
３    反射板
４    直管形蛍光灯
５    透光カバー
２２    蛍光灯ソケット
２２ａ    蛍光灯ソケットの背面
２４    溝部
４１    カバー本体
４２    エンドキャップ（取付部）
４３    装飾部品
４４    スペーサ
【図１】
2005183233.tif 000003
【図２】
2005183233.tif 000004
【図３】
2005183233.tif 000005
【図４】
2005183233.tif 000006
【図５】
2005183233.tif 000007
【図６】
2005183233.tif 000008
【図７】
2005183233.tif 000009
【図８】
2005183233.tif 000010
【図９】
2005183233.tif 000011
【図１０】
2005183233.tif 000012
【図１１】
2005183233.tif 000013